(57)【要約】  情報処理装置は、表示部と、情報取得部と、表示処理部と、を備えている。情報取得部は、複数の入力部を有する入力装置に接続されている機器の情報を示す入力情報を取得する。表示処理部は、前記情報取得部が取得した入力情報に基づいて、前記複数の入力部の各入力部に関連付けられたプログラムの画面に移行するための移行情報を前記表示部に表示する。
2017221409.tif 000002
【特許請求の範囲】
【請求項１】
表示部と、
複数の入力部を有する入力装置に接続されている機器の情報を示す入力情報を取得する、情報取得部と、
前記情報取得部が取得した入力情報に基づいて、前記複数の入力部の各入力部に関連付けられたプログラムの画面に移行するための移行情報を前記表示部に表示する、表示処理部と、
を備えた情報処理装置。
【請求項２】
前記表示処理部は、前記移行情報の選択を受け付けた場合に、前記プログラムを起動させて、前記表示部に該プログラムの画面を表示する、
請求項１に記載の情報処理装置。
【請求項３】
前記表示処理部は、ブラウザプログラムを起動させ、該ブラウザプログラムにおいて、前記移行情報に対応するＵＲＬにアクセスすることで、前記表示部に前記プログラムの画面を表示する、
請求項２に記載の情報処理装置。
【請求項４】
前記移行情報を表示させている画面の背景と、前記プログラムの画面における背景と、が類似した画像となっている、
請求項１乃至請求項３のいずれかに記載の情報処理装置。
【請求項５】
前記表示処理部は、前記複数の入力部の選択画面を前記表示部に表示し、
前記選択画面における各入力部を示す情報ととともに、前記移行情報を表示する、
請求項１乃至請求項４のいずれかに記載の情報処理装置。
【請求項６】
前記表示処理部は、前記複数の入力部の各入力部に接続されたコンテンツ再生機器に対応する再生画面上において、前記移行情報を表示する、
請求項１乃至請求項５のいずれかに記載の情報処理装置。
【請求項７】
前記情報取得部は、前記入力装置から前記入力情報を受信する、
請求項１乃至請求項６のいずれかに記載の情報処理装置。
【請求項８】
前記表示処理部は、前記複数の入力部の一覧画面を表示し、
前記一覧画面において、各入力部に対して関連付けされるプログラムの選択を受け付ける、受付部を備えた、
請求項１乃至請求項７のいずれかに記載の情報処理装置。
【請求項９】
請求項１乃至請求項８のいずれかに記載の情報処理装置からなるスマートフォン。
【請求項１０】
表示部を備えた情報処理装置に、
複数の入力部を有する入力装置に接続されている機器の情報を示す入力情報を取得する、情報取得処理と、
前記情報取得処理で取得した入力情報に基づいて、前記複数の入力部の各入力部に関連付けられたプログラムの画面に移行するための移行情報を前記表示部に表示する、表示処理と、
を実行させる、プログラム。
【請求項１１】
複数の入力部を有する入力装置に接続されている機器の情報を示す入力情報を取得し、
取得した入力情報に基づいて、前記複数の入力部の各入力部に関連付けられたプログラムの画面に移行するための移行情報を表示部に表示する、
を実行する情報処理方法。
【発明の詳細な説明】
【技術分野】
【０００１】
本発明の一実施形態は、所定の情報を取得し、取得した情報に応じて各種の処理を行なう情報処理装置に関する。
【背景技術】
【０００２】
特許文献１に示すように、携帯電話等の情報処理装置は、様々なアプリケーションプログラムを搭載している。【０００３】
近年の情報処理装置におけるアプリケーションプログラムでは、他装置から所定の情報を取得したり、他装置を制御したりすることが可能である。【０００４】
例えば、ＡＶレシーバを制御するアプリケーションプログラムでは、ＡＶレシーバにおける複数の入力インタフェースのうち、利用する入力インタフェースの選択操作を受け付け、ＡＶレシーバに対し、入力を切り替えるように制御する情報を送信することができる。
【先行技術文献】
【特許文献】
【０００５】
【特許文献１】特表２０１０−５１０７５７
【発明の概要】
【発明が解決しようとする課題】
【０００６】
ＡＶレシーバ等の多数の入力インタフェースを有する装置には、多数の機器が接続される。これら多数の装置は、それぞれ利用するプログラムが異なる場合が多い。この場合、ユーザは、入力インタフェースを選択するだけでなく、各機器に関連するプログラムを別途探して起動させる必要がある。【０００７】
例えば、ユーザがＢＤプレーヤを選択して、ＢＤプレーヤの再生画面に移行した場合でも、当該ＢＤプレーヤの詳細な制御を行なうための管理プログラムを利用するためには、別途、当該管理プログラムを探し出して起動させる必要があった。【０００８】
そこで、この発明の一実施形態の目的は、ユーザが各機器に関連するプログラムを探す手間を省くことができる情報処理装置、プログラム、および情報処理方法を提供することにある。
【課題を解決するための手段】
【０００９】
情報処理装置は、表示部と、情報取得部と、表示処理部と、を備えている。情報取得部は、複数の入力部を有する入力装置に接続されている機器の情報を示す入力情報を取得する。表示処理部は、前記情報取得部が取得した入力情報に基づいて、前記複数の入力部の各入力部に関連付けられたプログラムの画面に移行するための移行情報を前記表示部に表示する。
【発明の効果】
【００１０】
本発明の一実施形態によれば、ユーザが各機器に関連するプログラムを探す手間を省くことができる。
【図面の簡単な説明】
【００１１】
【図１】ＡＶ（オーディオ・ヴィジュアル）システムの概要を示す図である。
【図２】各装置の接続関係を示す図である。
【図３】ＡＶレシーバの主要構成を示すブロック図である。
【図４】ＳＴＢの主要構成を示すブロック図である。
【図５】ＢＤプレーヤの主要構成を示すブロック図である。
【図６】自動演奏ピアノの主要構成を示すブロック図である。
【図７】スマートフォンの主要構成を示すブロック図である。
【図８】Ｉｎｐｕｔ設定画面の表示態様の例である。
【図９】スマートフォンの動作を示すフローチャートである。
【図１０】図１０（Ａ）は、Ｉｎｐｕｔの選択画面の一例であり、図１０（Ｂ）は、再生画面の一例である。
【図１１】図１１（Ａ）は、Ｉｎｐｕｔの選択画面の変形例であり、図１１（Ｂ）は、再生画面の変形例を示す図である。
【図１２】図１２（Ａ）は、関連プログラムのシンボル画像を表示させている再生画面を示す図であり、図１２（Ｂ）は、起動された関連プログラムの画面を示す図である。
【発明を実施するための形態】
【００１２】
図１は、ＡＶ（オーディオ・ヴィジュアル）システム９００の概要を示す図である。ＡＶシステム９００は、中継装置である無線ルータ１０、ＳＴＢ（セットトップボックス）３０、ＢＤプレーヤ３１、スマートフォン３２、自動演奏ピアノ３３、およびＡＶレシーバ１００を備えている。
【００１３】
図２に示すように、ＳＴＢ３０、スマートフォン３２、自動演奏ピアノ３３、およびＡＶレシーバ１００は、無線ルータ１０を介して互いにネットワークで接続されている。ＳＴＢ３０、スマートフォン３２、自動演奏ピアノ３３、およびＡＶレシーバ１００は、無線ルータ１０により、ＬＡＮ内のＩＰアドレスが割り当てられている。
【００１４】
ＡＶレシーバ１００には、ＳＴＢ３０、ＢＤプレーヤ３１、および自動演奏ピアノ３３が接続されている。ＡＶレシーバ１００、ＳＴＢ３０、およびＢＤプレーヤ３１は、例えばＨＤＭＩ（登録商標）インタフェースを介して接続されている。よって、これらＡＶレシーバ１００、ＳＴＢ３０、およびＢＤプレーヤ３１は、互いにＨＤＭＩ（登録商標）−ＣＥＣの各種情報を送受信することができる。自動演奏ピアノ３３およびＡＶレシーバ１００は、例えばアナログオーディオ端子を介して接続されている。
【００１５】
ＡＶレシーバ１００は、ＨＤＭＩ（登録商標）インタフェースを介して、自装置に接続されている装置の情報を収集し、収集した情報をスマートフォン３２に送信することができる。スマートフォン３２は、ＡＶレシーバ１００のコントローラとして機能し、ＡＶレシーバ１００および他の装置を制御する。
【００１６】
ＡＶレシーバ１００は、例えば各装置からオーディオ信号を入力し、自装置に接続されたスピーカ（不図示）を介して、各装置から入力されたオーディオ信号に基づく音を出力させる。また、ＡＶレシーバ１００は、例えば各装置から映像信号を入力し、自装置に接続された表示器（不図示）を介して、各装置から入力された映像信号に基づく映像を出力させる。
【００１７】
図３は、ＡＶレシーバ１００の主要構成を示すブロック図である。図４は、ＳＴＢ３０の主要構成を示すブロック図である。図５は、ＢＤプレーヤ３１の主要構成を示すブロック図である。図６は、自動演奏ピアノ３３の主要構成を示すブロック図である。図７は、スマートフォン３２の主要構成を示すブロック図である。
【００１８】
ＡＶレシーバ１００は、入力インタフェース（Ｉ／Ｆ）１０１、制御部１０２、ＲＯＭ１０３、ＲＡＭ１０４、ＤＳＰ１０５、出力Ｉ／Ｆ１０６、および通信Ｉ／Ｆ１０７を備えている。
【００１９】
入力Ｉ／Ｆ１０１は、ＨＤＭＩ（登録商標）端子、ＵＳＢ端子、デジタルオーディオ端子、またはアナログオーディオ端子等の複数のインタフェースを有する。また、Ｂｌｕｅｔｏｏｔｈ（登録商標）、またはＮＦＣ等の近接ネットワーク通信インタフェースも、入力Ｉ／Ｆ１０１に含まれる。入力Ｉ／Ｆ１０１に入力されたコンテンツデータ、オーディオ信号、または映像信号等は、制御部１０２の制御により、ＤＳＰ１０５に入力され、出力Ｉ／Ｆ１０６に出力される。
【００２０】
制御部１０２は、ＲＯＭ１０３に記憶されているプログラムをワークメモリであるＲＡＭ１０４に読み出して実行することにより、ＡＶレシーバ１００の各構成を統括的に制御する。例えば、制御部１０２は、入力Ｉ／Ｆ１０１に接続されている機器の情報を取得し、現在の入力状態を把握する。また、制御部１０２は、入力Ｉ／Ｆ１０１に接続されている複数の機器から、ユーザが選択した機器に係るオーディオ信号または映像信号を、出力Ｉ／Ｆ１０６を介して出力する。
【００２１】
ＤＳＰ１０５は、オーディオデータをデコードしてデジタルオーディオ信号に変換したり、当該デジタルオーディオ信号に各種音響処理を行ったりする。ただし、ＤＳＰ１０５の各種処理は、制御部１０２によるソフトウェアで実現されてもよい。ＤＳＰ１０５で処理された後のオーディオ信号または映像信号は、出力Ｉ／Ｆ１０６を介して出力される。出力Ｉ／Ｆ１０６には、例えばＴＶ（不図示）またはスピーカ（不図示）等の装置が接続されている。ＴＶは、映像信号に係る映像を表示し、スピーカは、オーディオ信号に係る音を出力する。
【００２２】
通信Ｉ／Ｆ１０７は、例えば有線ＬＡＮのインタフェースであり、ＬＡＮケーブルを介して無線ルータ１０に接続される。ＡＶレシーバ１００は、通信Ｉ／Ｆ１０７を介して、スマートフォン３２から各種の制御情報を受信する。制御部１０２は、受信した制御情報に基づいて、各種の動作を行なう。
【００２３】
図４に示すように、ＳＴＢ３０は、制御部３５１、通信Ｉ／Ｆ３５２、ＲＯＭ３５３、ＲＡＭ３５４、および出力Ｉ／Ｆ３５５を備えている。すなわち、ＳＴＢ３０は、パーソナルコンピュータに類似した構成を有する。制御部３５１は、ＲＯＭ３５３に記憶されているＯＳおよびアプリケーションプログラムをＲＡＭ３５４に読み出すことで、種々の動作を行なう。ＳＴＢ３０は、例えば通信Ｉ／Ｆ３５２を介して、インターネットからコンテンツデータを受信する。ＳＴＢ３０は、受信したコンテンツデータを再生し、再生したオーディオ信号および映像信号を、出力Ｉ／Ｆ３５５を介して、ＡＶレシーバ１００に出力する。
【００２４】
図５に示すように、ＢＤプレーヤ３１は、制御部３７１、再生部３７２、ＲＯＭ３７３、ＲＡＭ３７４、および出力Ｉ／Ｆ３７５を備えている。制御部３７１は、ＲＯＭ３７３に記憶されているファームウェアをＲＡＭ３７４に読み出すことで、種々の動作を行なう。ＢＤプレーヤ３１は、再生部３７２において、メディア（ＢＤ）からコンテンツデータを読み出して再生する。ＢＤプレーヤ３１は、再生したコンテンツデータに係るオーディオ信号および映像信号を、出力Ｉ／Ｆ３７５を介して、ＡＶレシーバ１００に出力する。
【００２５】
図６に示すように、自動演奏ピアノ３３は、出力Ｉ／Ｆ３３１、制御部３３２、ＲＯＭ３３３、ＲＡＭ３３４、演奏部３３５、および通信Ｉ／Ｆ３３６を備えている。制御部３３２は、ＲＯＭ３３３に記憶されているファームウェアをＲＡＭ３３４に読み出すことで、種々の動作を行なう。なお、自動演奏ピアノ３３は、各鍵が押されると音を発するアコースティック楽器としても機能する。
【００２６】
演奏部３３５は、例えばＭＩＤＩ規格に基づいたシーケンスデータに基づいて、各鍵に対応して設けられたハンマーを機械的に駆動させ、自動演奏を行なう。通信Ｉ／Ｆ３３６は、例えば有線ＬＡＮであり、無線ルータ１０に接続される。自動演奏ピアノ３３は、通信Ｉ／Ｆ３３６を介して、スマートフォン３２から各種の制御情報を受信する。制御部３３２は、受信した制御情報に基づいて、各種の動作を行なう。
【００２７】
図７に示すように、スマートフォン３２は、タッチパネル３０１、制御部３０２、ＲＯＭ３０３、ＲＡＭ３０４、表示部３０５、および通信Ｉ／Ｆ３０６を備えている。スマートフォン３２は、情報処理装置の一例である。
【００２８】
タッチパネル３０１は、利用者からの操作を受け付ける受付部に相当する。表示部３０５は、利用者に各種情報を提示する。
【００２９】
制御部３０２は、記憶媒体であるＲＯＭ３０３に記憶されているＯＳおよびアプリケーションプログラムをＲＡＭ３０４に読み出すことで、各種の動作を行なう。例えば、制御部３０２は、ユーザからタッチパネル３０１を介してアプリケーションプログラムの起動を指示されると、指示されたアプリケーションプログラムを起動し、表示部３０５に該アプリケーションプログラムの画面を表示する。
【００３０】
図８は、アプリケーションプログラムの設定画面の一例を示す図である。図９は、スマートフォン３２の動作を示すフローチャートである。図８に示す画面は、ＡＶレシーバ１００の入力Ｉ／Ｆ１０１に現在接続されている装置の一覧と、各装置に関連するアプリケーションプログラムのアイコン画像が表示されている。この画面は、ＡＶレシーバ１００の現在の接続状態を示すだけのアプリケーションプログラムにおいて表示されるものであってもよいし、ＡＶレシーバ１００の制御を行なうコントロール用アプリケーションプログラムであってもよいし、別のアプリケーションプログラム（例えば、ＡＶレシーバ１００から他の装置にコンテンツを配信させる動作を行なわせるためのアプリケーションプログラム）で表示されるものであってもよい。
【００３１】
制御部３０２は、まず、ＡＶレシーバ１００から、現在の入力Ｉ／Ｆ１０１の状態を示す情報（入力情報）を取得する（Ｓ１１）。このとき、制御部３０２は、情報取得部３９１として機能する。すなわち、Ｓ１１の動作は、複数の入力部を有する入力装置（ＡＶレシーバ１００）に接続されている機器の情報を示す入力情報を取得する、「情報取得部」の動作に対応する。
【００３２】
ＡＶレシーバ１００は、Ｉｎｐｕｔ１にＢＤプレーヤ３１が接続され、Ｉｎｐｕｔ２にＳＴＢ３０が接続され、Ｉｎｐｕｔ４に自動演奏ピアノ３３が接続されている。ユーザは、ユーザがタッチパネル３０１を操作して、各Ｉｎｐｕｔに対する装置の名称等（現在の入力Ｉ／Ｆ１０１の状態）、またはインプットＩＤ等を入力する。これにより、制御部３０２は、機器の情報を示す入力情報を取得する。その結果、制御部３０２は、図１０（Ａ）に示すように、Ｉｎｐｕｔの選択画面に機器名等を表示することができる。
【００３３】
また、これらＩｎｐｕｔ１、Ｉｎｐｕｔ２、およびＩｎｐｕｔ４が、ＨＤＭＩ（登録商標）インタフェースに対応する場合には、ＡＶレシーバ１００は、ＨＤＭＩ（登録商標）−ＣＥＣを用いて、ＢＤプレーヤ３１、ＳＴＢ３０、および自動演奏ピアノ３３に対して、自装置の情報を送信するように要求してもよい。この場合、ＢＤプレーヤ３１、ＳＴＢ３０、および自動演奏ピアノ３３は、自装置の情報をＡＶレシーバ１００に送信する。各装置が送信する情報は、機器の名称、アドレス、識別情報（メーカーＩＤまたはＭＡＣアドレス等）、または関連プログラムを示す情報（プログラム名）、等が含まれている。アドレスには、ＨＤＭＩ（登録情報）−ＣＥＣにおける論理アドレスまたは物理アドレスが含まれている。これらの情報は、ＡＶレシーバ１００からスマートフォン３２に送信される。制御部３０２は、以上の様な動作を行なっても、図１０（Ａ）に示すように、Ｉｎｐｕｔの選択画面に機器名等を表示することができる。
【００３４】
次に、制御部３０２は、各装置に関連するプログラムの情報を取得する（Ｓ１２）。ただし、Ｓ１２の処理は、このタイミング（Ｓ１１の処理後）で行なう必要はなく、予め別のタイミングで行なってもよい。
【００３５】
各装置に関連するプログラムの情報には、起動ファイルのディレクトリを示す情報および各プログラムのシンボル画像（アイコン画像）が含まれる。ユーザは、図８に示す画面上で、各Ｉｎｐｕｔに関連するアプリケーションプログラムを手動で選択することもできる。例えば、ユーザが図８に示す画面上でブランク画像５０１を選択すると、制御部３０２は、自装置にインストールされているアプリケーションプログラムの一覧表（シンボル画像の一覧表）、またはアプリケーションプログラムの起動ファイルを選択するためのディレクトリ名の入力画面を表示部３０５に表示させ、関連するアプリケーションプログラムの選択を受け付ける。
【００３６】
または、制御部３０２は、ＡＶレシーバ１００から各種の情報を受信した場合には、各装置の関連プログラムを示す情報（プログラム名）が含まれているため、自装置のＲＯＭ３０３の各ディレクトリを検索し、受信したインプット名もしくはインプットＩＤに合致するもの（ディレクトリ名および起動ファイル名）を抽出する。これにより、制御部３０２は、関連するプログラムの情報を取得する。
【００３７】
なお、制御部３０２は、自装置に搭載されているＯＳの機能において、自装置にインストールされているアプリケーションプログラムの情報（シンボル画像および起動ファイルのディレクトリ）を取得することができる場合には、全てのアプリケーションプログラムの一覧表を表示し、ユーザからアプリケーションプログラムの選択を受け付ける。制御部３０２は、自装置に搭載されているＯＳの機能において、自装置にインストールされているアプリケーションプログラムの一覧を取得できない場合には、ユーザからアプリケーションプログラムの起動ファイルが存在するディレクトリ、もしくはアプリケーションプログラムを起動するＵＲＬまたはプログラム名等の入力を受け付ける。
【００３８】
アプリケーションプログラムが他のアプリケーションプログラムのシンボル画像を取得できる場合には、制御部３０２は、図８に示すシンボル画像５０２のように、専用のシンボル画像を表示する。アプリケーションプログラムが、他のアプリケーションプログラムのシンボル画像を取得できない場合には、制御部３０２は、図８に示すシンボル画像５０３のように、汎用のシンボル画像を表示する。
【００３９】
なお、関連プログラムがブラウザのアプリケーションプログラムである場合には、図８に示すシンボル画像５０４のように汎用のブラウザプログラムのシンボル画像を表示する。関連プログラムがブラウザのアプリケーションプログラムである場合には、制御部３０２は、ユーザまたは対象の機器から、ＵＲＬ（ＩＰアドレス）の情報を取得する。ＩＰアドレスは、上述のＨＤＭＩ（登録商標）−ＣＥＣにより取得してもよいし、無線ルータ１０からＬＡＮ経由で検索、および検出して取得してもよい。
【００４０】
次に、図９に示すように、制御部３０２は、Ｉｎｐｕｔ選択画面を表示する（Ｓ１３）。Ｉｎｐｕｔ選択画面は、例えば図１０（Ａ）に示すように、Ｉｎｐｕｔの名称と、接続されている機器の名称と、を表示する。その後、制御部３０２は、ユーザからＩｎｐｕｔの選択を受け付けたか否かを判断する（Ｓ１４）。制御部３０２は、ユーザからＩｎｐｕｔの選択を受け付けた場合、再生画面（Ｎｏｗ  Ｐｌａｙｉｎｇ画面）の表示処理に移行する（ｓ１５）。
【００４１】
図１０（Ｂ）は、再生画面の一例を示す図である。再生画面は、選択されたＩｎｐｕｔに接続されている機器が、例えばオーディオデータを再生している場合に、アルバムアート等を表示する画面である。また、ユーザが、音量の変更、再生停止、または再生位置の指定等を操作を行なうための画面である。ユーザが音量の変更、再生停止、または再生位置の指定等の操作を行なった場合、制御部３０２は、ＡＶレシーバ１００に対してこれら操作に係る情報、および対象機器を示す情報（アドレス、または識別情報等）を送信する。ＡＶレシーバ１００は、受信した情報に応じて、対応する機器に対し、音量の変更、再生停止、または再生位置の指示を行なう。
【００４２】
また、制御部３０２は、再生画面において、関連プログラムの画面に移行するためのシンボル画像を表示する。この例では、シンボル画像５０２を表示している。制御部３０２は、再生画面において、シンボル画像が選択され、関連プログラムが選択されたか否かを判断する（Ｓ１６）。関連プログラムが選択されない場合には、Ｓ１５から処理を繰り返し、再生画面を引き続き表示させる。
【００４３】
制御部３０２は、関連プログラムが選択された場合、当該関連プログラムを起動し（Ｓ１７）、当該関連プログラムの画面に移行する（Ｓ１８）。関連プログラムが、ブラウザのアプリケーションプログラムである場合、制御部３０２は、当該ブラウザのアプリケーションプログラムにおいて、指定されたＵＲＬにアクセスする。ただし、Ｓ１６〜Ｓ１８の処理は、必須ではない。制御部３０２は、各Ｉｎｐｕｔの機器に関連するプログラムを表示させるだけでもよい。
【００４４】
制御部３０２は、このようにして、各Ｉｎｐｕｔの機器に関連するプログラム画面に移行するための移行情報（例えばシンボル画像、または「ＡＶ  ＣＯＮＴＲＬＬＥＲ」等の文字情報）を表示部３０５に表示することで、表示処理部３９２として機能する。これにより、ユーザは、ＡＶレシーバ１００に接続された複数の機器について、それぞれ利用するプログラムがどの様なものであるのか、別途探す必要がなく、起動すべきプログラムを容易に判断することができる。また、ユーザは、Ｉｎｐｕｔの一覧画面または再生画面から、関連するプログラムを容易に起動させることができる。
【００４５】
次に、図１１（Ａ）は、Ｉｎｐｕｔの選択画面の変形例であり、図１１（Ｂ）は、再生画面の変形例を示す図である。この例では、Ｉｎｐｕｔの選択画面において、関連プログラムの画面に移行するためのシンボル画像（例えば、シンボル画像５０２、およびシンボル画像５０３）を表示する。また、この例では、図１１（Ｂ）に示すように、制御部３０２は、再生画面においては、関連プログラムの画面に移行するためのシンボル画像は表示していない。
【００４６】
無論、制御部３０２は、Ｉｎｐｕｔの選択画面において関連プログラムのシンボル画像を表示し、かつ再生画面においても関連プログラムのシンボル画像を表示してもよい。
【００４７】
次に、図１２（Ａ）は、関連プログラムのシンボル画像を表示させている再生画面を示す図であり、図１２（Ｂ）は、起動された関連プログラムの画面を示す図である。この例では、制御部３０２は、再生画面の背景画像と、起動された関連プログラムの背景画像と、を類似する画像としている。
【００４８】
これにより、制御部３０２が別のアプリケーションプログラム、あるいはＵＲＬで指定された別ページを表示した場合でも、ユーザは、あたかも同じアプリケーションプログラム内の別画面が表示されたように感じることができる。
【符号の説明】
【００４９】
１０…無線ルータ
３０…ＳＴＢ
３１…ＢＤプレーヤ
３２…スマートフォン
３３…自動演奏ピアノ
１００…ＡＶレシーバ
１０１…入力Ｉ／Ｆ
１０２…制御部
１０３…ＲＯＭ
１０４…ＲＡＭ
１０５…ＤＳＰ
１０６…出力Ｉ／Ｆ
１０７…通信Ｉ／Ｆ
３０１…タッチパネル
３０２…制御部
３０３…ＲＯＭ
３０４…ＲＡＭ
３０５…表示部
３０６…通信Ｉ／Ｆ
３３１…出力Ｉ／Ｆ
３３２…制御部
３３３…ＲＯＭ
３３４…ＲＡＭ
３３５…演奏部
３３６…通信Ｉ／Ｆ
３５１…制御部
３５２…通信Ｉ／Ｆ
３５３…ＲＯＭ
３５４…ＲＡＭ
３５５…出力Ｉ／Ｆ
３７１…制御部
３７２…再生部
３７３…ＲＯＭ
３７４…ＲＡＭ
３７５…出力Ｉ／Ｆ
３９１…情報取得部
３９２…表示処理部
５０１…ブランク画像
５０２，５０３，５０４…シンボル画像
９００…ＡＶシステム
【図１】
2017221409.tif 000003
【図２】
2017221409.tif 000004
【図３】
2017221409.tif 000005
【図４】
2017221409.tif 000006
【図５】
2017221409.tif 000007
【図６】
2017221409.tif 000008
【図７】
2017221409.tif 000009
【図８】
2017221409.tif 000010
【図９】
2017221409.tif 000011
【図１０】
2017221409.tif 000012
【図１１】
2017221409.tif 000013
【図１２】
2017221409.tif 000014
【国際調査報告】
2017221409.tif 000015
2017221409.tif 000016
2017221409.tif 000017
2017221409.tif 000018